(57)【要約】【課題】緩衝材を貼り付けても剥がれ難くして、剥がれた緩衝材が例えば給電装置等におけるワイヤハーネスの動きを阻害等する懸念を解消させる。【解決手段】周方向の凹溝２と凸条３とをチューブ長手方向に交互に配列して成るコルゲートチューブ１において、凹溝２と凸条３とのない平面的な部分４，５を緩衝材装着用に形成した。平面的な部分４を凸条３と同じ外径で形成した。平面的な部分５を凹溝２と同じ外径で形成した。上記コルゲートチューブ１において、平面的な部分４，５に緩衝材６，７を装着した。押出成形で平面的な部分４，５を形成し、成形型内の凹凸部分で凸条３と凹溝２とを形成することで上記コルゲートチューブ１を得る。【選択図】図２
2007187281.tif 000002
【特許請求の範囲】
【請求項１】
周方向の凹溝と凸条とをチューブ長手方向に交互に配列して成るコルゲートチューブにおいて、前記凹溝と凸条とのない平面的な部分が緩衝材装着用に形成されたことを特徴とするコルゲートチューブ。
【請求項２】
前記平面的な部分が前記凸条と同じ外径で形成されたことを特徴とする請求項１記載のコルゲートチューブ。
【請求項３】
前記平面的な部分が前記凹溝と同じ外径で形成されたことを特徴とする請求項１記載のコルゲートチューブ。
【請求項４】
請求項１〜３の何れかに記載のコルゲートチューブ１において、前記平面的な部分に緩衝材が装着されたことを特徴とするコルゲートチューブの緩衝構造。
【請求項５】
請求項１〜３の何れかに記載のコルゲートチューブを製造する方法であって、押出成形で前記平面的な部分を形成し、成形型内の凹凸部分で前記凸条と凹溝とを形成することを特徴とするコルゲートチューブの製造方法。
【発明の詳細な説明】
【技術分野】
【０００１】
本発明は、自動車等のワイヤハーネスに用いられる電線保護チューブとしてのコルゲートチューブとその緩衝構造及びその製造方法に関するものである。
【背景技術】
【０００２】
図４（ａ）は従来のコルゲートチューブを示すものである。
【０００３】
コルゲートチューブ２１はハーネス保護チューブの一種であり、合成樹脂を材料として、周方向の凹溝（谷部）２と凸条（山部）３とをチューブ長手方向に交互に配列して構成され、良好な屈曲性を有している。
【０００４】
コルゲートチューブ２１の内側空間には複数本の絶縁被覆電線（図示せず）が挿通されて、ワイヤハーネスが構成される。コルゲートチューブ２１の断面形状は円形や長円形（平形）のものが多く使用されている。
【０００５】
図４（ｂ）に示す如く、コルゲートチューブ２１の凸条３の外周面３ａに緩衝材２２を貼り付けることで、コルゲートチューブ２１と図示しない相手側との干渉時の異音や摩耗等を防止することができる。相手側としては例えば給電用のプロテクタの内壁面等が挙げられる。緩衝材２２はテープ本体２２ａと接着材２２ｂで構成される。
【０００６】
図５〜図６は従来のコルゲートチューブを用いたハーネス配索構造を含む常時給電装置の一形態を示すものである（例えば特許文献１参照）。
【０００７】
この給電装置５０は、自動車のスライドドア４１に配設され、ワイヤハーネス４３を屈曲自在に収容する合成樹脂製のプロテクタ４２（図ではベースのみを示し、カバーの図示は省略している）と、プロテクタ内でワイヤハーネス４３を上向きに付勢する金属製の板ばね４４とを備えたものである。
【０００８】
板ばね４４の下端部がワイヤハーネス４３と共にプロテクタ４２の前端下部側に固定され、板ばね４４の先端側がワイヤハーネス４３を摺接自在に支持している。板ばね４４の先端には合成樹脂製のキャップ４９が装着され、キャップ４９でワイヤハーネス４３が安定に支持される。
【０００９】
ワイヤハーネス４３は複数本の電線４３ａを合成樹脂製のコルゲートチューブ４３ｂで覆って構成され、コルゲートチューブ４３ｂの前端下部がプロテクタ４２にテープ巻き等で固定されている。コルゲートチューブ４３ｂは凹溝と凸条とを交互に有して良好な屈曲性を発揮する。
【００１０】
ワイヤハーネス４３の一方の電線部分４３ａがプロテクタ４２の前部から導出されてスライドドア側の補機に接続され、ワイヤハーネス４３の他方のコルゲートチューブ部分４３ｂがプロテクタ４２の長形の下部開口４５から渡り空間４６（図６）を経て車両ボディ４７側に揺動自在に配索されている。渡り空間４５においてワイヤハーネス４３内の電線４３ａがコルゲートチューブ４３ｂによって外部との干渉や水滴や塵等から安全に保護されている。
【００１１】
図５はスライドドア４１の全閉状態、図６は同じく全開間近の半開状態を示しており、スライドドア４１の全閉状態でワイヤハーネス４３は後方へ引っ張られ、スライドドア４１の全開状態でワイヤハーネス４３は前方へ引っ張られ、特にスライドドア４１の半開状態でワイヤハーネス４３は下向きに弛もうとするが、板ばね４４で上向きに付勢されて弛み（余長）が吸収され、垂れ下がりによる挟み込み等が防止される。
【特許文献１】特開２００１−３５４０８５号公報（第７〜９頁、図４，図７）
【発明の開示】
【発明が解決しようとする課題】
【００１２】
しかしながら、上記従来のコルゲートチューブ２１の緩衝構造にあっては、図４（ｂ）に示す如く、テープ状の緩衝材（保護材）２２を断面円形や断面長円形のコルゲートチューブ２１の凸条３の頂面３ａに貼り付けるために、緩衝材２２の接着面積が小さく（接着力が弱く）、緩衝材２２が剥がれやすいという問題があった。
【００１３】
特に、図７（ｃ）に示す如く、緩衝材２２の端部２２ｃが断面長円形（平形）コルゲートチューブ２１の短径側の端部２１ａに位置した場合はまだ良いが、図７（ａ）（ｂ）に示す如く、緩衝材２２の端部２２ｃがコルゲートチューブ２１の長径側の端部２１ｂに位置した場合に、緩衝材２２の端部２２ｃが浮き上がって剥がれやすくなり、緩衝材２２が剥がれた場合には、他部品に付着したりして、例えば図５の給電装置５０におけるワイヤハーネス４３の余長吸収のための動きが阻害され兼ねないという懸念があった。
【００１４】
本発明は、上記した点に鑑み、緩衝材を貼り付けても剥がれ難く、剥がれた緩衝材が例えば給電装置等におけるワイヤハーネスの動きを阻害等する懸念を解消することのできるコルゲートチューブとその緩衝構造及びその製造方法を提供することを目的とする。
【課題を解決するための手段】
【００１５】
上記目的を達成するために、本発明の請求項１に係るコルゲートチューブは、周方向の凹溝と凸条とをチューブ長手方向に交互に配列して成るコルゲートチューブにおいて、前記凹溝と凸条とのない平面的な部分が緩衝材装着用に形成されたことを特徴とする。
【００１６】
上記構成により、コルゲートチューブの平面的な部分にテープ状や環状等の緩衝材が接着や弾性密着等の手段で固定され、緩衝材がコルゲートチューブの平面的な部分の全面積に渡って大きな面積で密着する。これにより、緩衝材の固定力が高まり、緩衝材の剥がれは外れが防止される。緩衝材はコルゲートチューブと相手側との干渉や摺接を防止するものである。「平面的な部分」とは環状の部分や断面円弧状（湾曲状）の部分や断面直線状の部分を含むものである。
【００１７】
請求項２に係るコルゲートチューブは、請求項１記載のコルゲートチューブにおいて、前記平面的な部分が前記凸条と同じ外径で形成されたことを特徴とする。
【００１８】
上記構成により、平面的な部分が凸条と同じく凹溝よりも大径に形成され、平面的な部分に装着した厚手の緩衝材が外側に大きく突出して、相手側との干渉が確実に吸収される。平面的な部分は押出成形機のストレートダイスから直接押し出された部分であり、この平面的な部分を外側から波状の成形型で押すことで、肉厚変化の少ない（薄肉化しない）コルゲートチューブが得られる。
【００１９】
請求項３に係るコルゲートチューブは、請求項１記載のコルゲートチューブにおいて、前記平面的な部分が前記凹溝と同じ外径で形成されたことを特徴とする。
【００２０】
上記構成により、平面的な部分が凸条よりも小径に形成され、且つチューブ長手方向前後の凸条の間に溝状に形成される。緩衝材はこの溝状の平面的な部分に嵌まるようにして位置決め及び固定される。緩衝材としては厚手のものが使用される。
【００２１】
請求項４に係るコルゲートチューブの緩衝構造は、請求項１〜３の何れかに記載のコルゲートチューブにおいて、前記平面的な部分に緩衝材が装着されたことを特徴とする。
【００２２】
上記構成により、上記請求項１〜３の何れかに記載の発明と同様の作用効果が奏せられる。
【００２３】
請求項５に係るコルゲートチューブの製造方法は、請求項１〜３の何れかに記載のコルゲートチューブを製造する方法であって、押出成形で前記平面的な部分を形成し、成形型内の凹凸部分で前記凸条と凹溝とを形成することを特徴とする。
【００２４】
上記構成により、押出成形機のストレートダイスから凹凸のない平面的なチューブが押出成形され、その平面的なチューブに凹凸のある成形型で平面的な部分を除いて凹溝と凸条が形成される。例えば成形型の駒に凹凸のある部分とない部分が予め形成され、凹凸のない部分でチューブの平面的な部分が形成される。成形型の駒を変えることで、チューブの平面的な部分の位置や長さは深さ等が所望に設定される。
【発明の効果】
【００２５】
以上の如く、請求項１記載の発明によれば、緩衝材を大きな面積で接触固定させる平面的な部分を有したことで、緩衝材の剥がれや外れが防止され、コルゲートチューブと相手側との干渉による打音や摩耗等が確実に防止される。また、緩衝材が剥がれて他の部位に付着したりすることが防止され、例えばスライドドア等への常時給電装置におけるワイヤハーネスの動きが引っ掛かり等なくスムーズに行われて常時給電の信頼性が向上する。
【００２６】
請求項２記載の発明によれば、平面的な部分が大径であるから、緩衝材が少なくて済み、経済的であると共に、凹溝と凸条の樹脂成形を肉厚減少させることなく確実に行うことができる。
【００２７】
請求項３記載の発明によれば、厚手の緩衝材を使用しても、緩衝材の突出量が小さく抑えられ、且つ大きな緩衝能力が発揮される。また、溝状の平面的な部分に緩衝材が正確に位置決めされて位置ずれなくしっかりと固定されるから、請求項１記載の発明の効果が促進される。
【００２８】
請求項４記載の発明によれば、請求項１〜３の何れかに記載の発明と同様の効果が奏せられる。
【００２９】
請求項５記載の発明によれば、押出成形によってコルゲートチューブの凹溝と凸条と平面的な部分とを簡単に効率良く且つ確実に形成することができ、平面的な部分を有するコルゲートチューブを低価格で提供することができる。
【発明を実施するための最良の形態】
【００３０】
図１は、本発明に係るコルゲートチューブの一実施形態、図２は同じくコルゲートチューブに緩衝材を貼り付けて構成されるコルゲートチューブの緩衝構造の一実施形態をそれぞれ示すものである。
【００３１】
図１の如く、コルゲートチューブ１は、従来同様に合成樹脂を材料として周方向の凹溝（谷部）２と凸条（山部）３とをチューブ長手方向に交互に配列すると共に、長手方向の所要位置において凹溝２と凹溝２との間や、凸条３と凸条３との間に、凹凸のない平面的な部分（環状の曲面等）４，５を有したことを特徴としている。
【００３２】
そして、コルゲートチューブ１の平面的な部分４，５に、図２の如く、テープ状ないし略テープ状の緩衝材６，７を貼り付けてコルゲートチューブ１の緩衝構造が構成されている。
【００３３】
図１において、コルゲートチューブ１の断面形状は円形でも長円形（平形）でもよく、平面的な部分４，５はコルゲートチューブ１の全周に渡って環状に連続しており、平面的な部分４，５の断面形状はコルゲートチューブ１の凹凸部分（凹溝２と凸条３で構成される部分）８と同様に断面円形又は断面長円形（平形）に形成される。
【００３４】
なお、コルゲートチューブ１の断面形状は円形や長円形に限るものではなく、例えば断面矩形状や台形状や三角形状等、必要に応じて適宜設定可能である。これらの場合も平面的な部分４，５は凹凸部分８と同様の断面形状とすることが好ましい。
【００３５】
図１で左側の大径な平面的な部分４の外径は凸条３の外径と同じであり、大径な平面的な部分４の内径は凸条３の内径と同じである。また、図１で右側の小径な平面的な部分５の外径は凹溝２の外径と同じであり、小径な平面的な部分５の内径は凹溝２の内径と同じである。
【００３６】
大径な平面的な部分４の両端（チューブ長手方向の両端）４ａは両側の凸条３の頂面３ａと一体化されて凹溝２のテーパ状の側面２ｂ（凸条３のテーパ状の側面３ｂでもある）に続き、小径な平面的な部分５の両端５ａは両側の凹溝２の底面２ａに一体化されて凸条３のテーパ状の側面３ｂ（凹溝２のテーパ状の側面２ｂでもある）に続いている。本例のコルゲートチューブ１の凹溝２や凸条３はテーパ状の両側面２ｂ，３ｂを有しているが、垂直（平行）な両側面を有しているものにおいても、大径や小径な平面的な部分４，５を形成できることは言うまでもない。
【００３７】
図１のコルゲートチューブ１の製造方法としては、合成樹脂材の押出成形によって、凹溝２と凸条３を形成すると共に、前後の凹溝２，２の間や前後の凸条３，３の間に平面的な部分４，５を形成する。
【００３８】
押出成形法の一例として一種の連続式中空成形法が挙げられる。この成形法は、図示しない押出成形機のストレートダイから軟化状態の凹凸部分８のない平面的（環状）なチューブを押し出して、軟化状態で図示しない二分割式の成形型（金型）内（成形型の内面には凹凸が交互に形成されている）に送り込み、それと同時に内側から空気で加圧するか、外側から真空で吸引することで、内外面が波状となったコルゲートチューブ１を得る既存のものである。
【００３９】
この押出成形過程において、例えば分割式の成形型の所要位置に予め凹凸のない平面的な部分を形成しておくことで、成形型内でコルゲートチューブ１に凹凸部分８と平面的部分４，５とを同時に形成することができる。
【００４０】
この場合、成形型の平面的部分の内径を成形型の凹部の底面と同じ径とすることで、図１のコルゲートチューブ１の大径な平面的部分４を得ることができ、成形型の平面的部分の内径を成形型の凸部の頂面と同じ径とすることで、図１のコルゲートチューブ１の小径な平面的部分５を得ることができる。コルゲートチューブ１の平面的な部分４，５の位置や間隔や長さや径等の調整は成形型の駒を組み替えることで簡単に行うことができる。
【００４１】
あるいは、押出成形機のストレートダイから軟化状態の凹凸部分８のない平面的（環状）なチューブを押し出して、図１のコルゲートチューブ１の平面的部分４，５に対応する部分を除くチューブの前後の部分を分割式の成形型内で凹凸成形してコルゲートチューブ１の凹凸部分８を形成することも可能である。この場合、図１の左側の大径の平面的部分４は通常のストレートダイで形成し、図１の右側の小径の平面的部分５は通常よりも小径なストレートダイを用いて形成する。
【００４２】
断面円形のコルゲートチューブ（１）は断面円形のストレートダイや分割式成形型を用い、断面長円形（平形）のコルゲートチューブ（１）は断面長円形（平形）のストレートダイや分割式成形型を用いる。また、断面矩形状や断面三角形状等のコルゲートチューブは断面矩形状や断面三角形状等のストレートダイや分割式成形型を用いる。
【００４３】
そして、図２の如く、コルゲートチューブ１の平面的な部分４，５の外周面に緩衝材（保護材）６，７を貼り付け等の手段で固定する。緩衝材６，７としては、例えばテープ状のウレタン材やスポンジやゴム材等といった弾性材で内面に粘性の接着材を塗布したものが好ましい。コルゲートチューブ１と緩衝材６，７とでコルゲートチューブ組立体１０が構成される。
【００４４】
コルゲートチューブ１の平面的部分４，５の全面に緩衝材６，７の内面が接着されることで、従来に較べて接着面積（接着力）が増大し、緩衝材６，７の剥がれが確実に防止される。テープ状の緩衝材６，７は一層巻きでもよく、多層巻きとしてもよい。
【００４５】
断面長円形（平形）のコルゲートチューブ（１）で、緩衝材６，７の端部が図５（ａ）（ｂ）のようにコルゲートチューブ（１）の長径側の端部に位置した場合でも、緩衝材６，７の端部が全面に渡ってコルゲートチューブ（１）の平面的部分４，５に接着されるから、緩衝材６，７の端部の浮き上がりが起こらず、緩衝材６，７の剥がれが防止される。
【００４６】
図２のコルゲートチューブ１の左側の大径の平面的部分４には薄肉の緩衝材６を貼り付け、右側の小径の平面的部分５には厚肉の緩衝材７を貼り付けることができる。緩衝材６，７が厚い方が緩衝能力（衝撃を和らげる能力）は大きいことは言うまでもない。緩衝材６，７の外径は少なくともコルゲートチューブ１の凸条３の外径と同じかそれ以上とすることが好ましい。薄肉の緩衝材６，７を多層（多重）に巻いて厚くすることも可能である。
【００４７】
図２の右側の緩衝材７においては、緩衝材７のチューブ長手方向の両端部分７ａがコルゲートチューブ１の凸条３の側面３ｂに当接するから、緩衝材６，７のチューブ長手方向の位置決めが容易で、緩衝材６，７の装着作業性が高まると共に、緩衝材６，７のチューブ長手方向の位置ずれが防止されて、緩衝材６，７が一層剥がれにくくなる。
【００４８】
図３は、緩衝材６，７を装着したコルゲートチューブ１を用いたスライドドア用の常時給電装置の一形態を示すものである。
【００４９】
この常時給電装置１１は従来同様に合成樹脂製のプロテクタ１２を備え、プロテクタ１２は手前側の鎖線で示すプロテクタカバー１３と奥側の実線で示すプロテクタベース１４とで構成され、プロテクタベース１３はスライドドア（図示せず）のドアインナパネルにボルト等で固定される。
【００５０】
本例ではプロテクタベース１４のほぼ中央からワイヤハーネス１５がコルゲートチューブ１で覆われた状態でスライドドアからプロテクタ１２内に導入され、図３で反時計回りに略ループ状に湾曲しつつプロテクタ１２の周壁１６に沿って長形の下部開口１７から車両ボディ側に導出されている。図３のワイヤハーネス１５はスライドドアの全閉時の状態を示している。
【００５１】
本例ではコルゲートチューブ１の略ループ状の湾曲部１８に複数の緩衝材６，７が間隔をあけて配置され、湾曲部１８とプロテクタ１２の内壁面（符号１３，１４で代用する）との干渉や摺接が防止され、それによって、車両走行中の異音やスライドドア開閉時のコルゲートチューブ１の摩耗等が防止される。各緩衝材６，７はコルゲートチューブ１の平面的な部分４，５に装着されていることは言うまでもない。
【００５２】
本例ではコルゲートチューブ１の緩衝材６，７のない部分において、コルゲートチューブ１に沿ってプロテクタ１２の内壁面（１３，１４）に長形の不織布１９を貼り付けたり一体成形することで、コルゲートチューブ１とプロテクタ１２との干渉や摩耗を一層確実に防止させている。
【００５３】
図３のスライドドア閉じ状態からスライドドアを後方にスライドさせて開くに伴って（プロテクタ１２はドアと一体に移動する）、ドア半開状態でワイヤハーネス１５の湾曲部１８がプロテクタ１２内で最大に拡径され、ドア全開状態で湾曲部１８が再度縮径されつつ、ワイヤハーネス１５がプロテクタ１２の下部開口１７に沿って前方へ揺動する。スライドドア開閉時におけるコルゲートチューブ１とプロテクタ１２との干渉や摺接が緩衝材６，７で確実に防止される。
【００５４】
なお、上記実施形態においては、テープ状で接着性の緩衝材６，７を用いたが、例えば緩衝材６，７として弾性のリング状のものを用い、コルゲートチューブ１の平面的な部分４，５にリンク状の緩衝材（６，７）を輪ゴムのように弾性力で密着固定させることも可能である。
【００５５】
また、上記実施形態においては、コルゲートチューブ（チューブ本体）１の長手方向中間部に緩衝材装着用の平面的な部分４，５を形成したが、コルゲートチューブ（チューブ本体）１の端末部に緩衝材装着用の平面的な部分４，５を形成することも可能である。この場合、長いコルゲートチューブ１を途中で切断して、切断端部に平面的な部分４，５を配置してもよく、図示しない押出成形機のストレートダイで最初に端末（始端）の平面的な部分４，５を形成してもよい。
【００５６】
また、上記実施形態においては、コルゲートチューブ１の全周に渡って平面的な部分４，５を形成したが、コルゲートチューブ１の全周ではなく例えば半周あるいは３／４周等というように、周方向の部分的に平面的な部分（４，５）を形成することも可能である。この場合、緩衝材６，７は平面的な部分（４，５）に巻き付けではなく部分的に貼り付けられる。例えばコルゲートチューブ１と相手側との干渉部位が片側のみ等である場合にこの構造は好ましい。
【００５７】
また、図３の給電装置１１に代えて図６の給電装置に上記緩衝材付きのコルゲートチューブ（コルゲートチューブ組立体）１０を用いたり、給電装置以外に、例えば車両ボディ等へのワイヤハーネスの配索構造において上記緩衝材付きのコルゲートチューブ１０を用いて、車両ボディ等とコルゲートチューブ１との干渉を防止させることも可能である。上記緩衝材付きのコルゲートチューブ１０の適用範囲はこれらに限られるものではない。
【図面の簡単な説明】
【００５８】
【図１】本発明に係るコルゲートチューブの一実施形態を示す正面図である。
【図２】同じくコルゲートチューブの緩衝構造の一実施形態を示す正面図である。
【図３】コルゲートチューブの緩衝構造の一適用例を示す正面図である。
【図４】（ａ）は従来のコルゲートチューブを示す正面図、（ｂ）はコルゲートチューブに緩衝材を貼り付けた状態を示す断面図である。
【図５】従来のコルゲートチューブの一適用例を示す斜視図である。
【図６】同じく適用例の作用を示す斜視図である。
【図７】（ａ）は従来の断面長円形のコルゲートチューブに緩衝材を貼った状態の正面図、（ｂ）は同じく側面図、（ｃ）は緩衝材の端部の位置を変えた形態を示す側面図である。
【符号の説明】
【００５９】
１      コルゲートチューブ
２      凹溝
３      凸条
４，５  平面的な部分
６，７  緩衝材
【図１】
2007187281.tif 000003
【図２】
2007187281.tif 000004
【図３】
2007187281.tif 000005
【図４】
2007187281.tif 000006
【図５】
2007187281.tif 000007
【図６】
2007187281.tif 000008
【図７】
2007187281.tif 000009